Podtech/llm-jp-corpus-v4-ja_patent huggingface dataset:
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
ハンドヘルド分析装置（２８）、特に血糖測定器（２８）の品質評価のための方法であって、前記ハンドヘルド分析装置（２８）は、ヒトユーザによって、テストエレメント（３６）に適用される試料液体中の分析対象物（ａｎａｌｙｔｅ）を試験するための一連のハンドリング工程において操作可能なものであって、前記方法は、以下の工程：
（ａ）ヒトユーザによって実施される前記一連のハンドリング工程を模倣するために、特にロボット（１２）の基本操作を規定する予めプログラムされたモジュールのチェーンとしての前記ハンドリングサイクルの簡略化されたプログラミングのためのグラフィカルユーザインタフェース（４０）を使用して、少なくとも１つのロボットアーム（２０）を有するロボット（１２）のためのハンドリングサイクルをプログラミングすることと；
（ｂ）前記ロボット（１２）を用いて、少なくとも１つのハンドリングサイクルにおいて前記ハンドヘルド分析装置（２８）を操作することであって、ここで前記ハンドリングサイクルが、少なくとも以下：
−前記ロボットアーム（２０）の人工指（３０）を使用して、試料液体、特に全血または人工血液を、テストエレメント（３６）に適用すること、
−前記ロボットアーム（２０）の受容端（２６）で前記ハンドヘルド分析装置（２８）をつかむこと、
−前記ロボットアーム（２０）によって前記ハンドヘルド分析装置（２８）を連続的に運ぶこと、または前記ロボットアーム（２０）の到達範囲内で間欠的に前記ハンドヘルド分析装置（２８）を配置すること
の一つを含む；
（ｃ）制御ユニット（１４）によって工程（ｂ）の操作を監視し、そして、前記ハンドヘルド分析装置（２８）の品質に影響を与える少なくとも１つのパラメータを評価すること、
を含む、方法。
【請求項２】
前記装置（２８）の操作を監視することが、前記装置（２８）で試験結果を取得することを含む、請求項１に記載の方法。
【請求項３】
前記装置（２８）の品質に影響を与えるパラメータを評価することが、前記装置（２８）の測定精度を決定すること、を含む、請求項１または２に記載の方法。
【請求項４】
前記装置（２８）の品質への影響を識別するために、前記ロボット（１２）の操作状態を変更することをさらに含む、請求項１〜３のいずれか一項に記載の方法。
【請求項５】
１または複数のハンドリングサイクルを適合させて、または変更して、ユーザのハンドリングにおける差異をシミュレートし、それに起因する影響パラメータを評価すること、をさらに含む、請求項１〜４のいずれか一項に記載の方法。
【請求項６】
１または複数のハンドリングサイクルを適合させて、または変更して、逸脱したユーザのハンドリング、特にユーザの障害または病気に起因する逸脱、またはそれに由来する逸脱を報告することをさらに含む、請求項１〜５のいずれか一項に記載の方法。
【請求項７】
前記ロボットの移動の自由度、例えば、空間方向における、前記ロボットの変動（oscillation）または偏向(deflection)の振幅、速度および周波数のいくつかの、１または複数のハンドリングサイクルを適合させる、または変更することをさらに含む、請求項６に記載の方法。
【請求項８】
前記人工指（３０）は、ヒトの指と類似の特性、特に所定の弾力性、周面摩擦、表面汚染および色の少なくとも１つの特性を備えている、請求項７に記載の方法。
【請求項９】
前記ハンドリングサイクルが、前記人工指（３０）内に配置された液体供給手段またはピペット（３２）によって、前記人工指（３０）に試料液体を装填することを含む、請求項７または８に記載の方法。
【請求項１０】
前記ハンドリングサイクルは、前記人工指（３０）を、テストエレメント（３６）に対して所定の方向および／または力で移動させることを含む、請求項7〜9のいずれか一項に記載の方法。
【請求項１１】
前記ロボット（１２）は、１つまたは２つのロボットアーム（２０）を備え、前記ハンドリングサイクルは、前記装置（２８）の右手、左手、片手および両手の使用のうちの少なくとも１つのシミュレーションを提供する、請求項１〜１０のいずれか一項に記載の方法。
【請求項１２】
前記プログラムされたモジュールを表すディスプレイ（４４）に図形記号（４２）を再配置することによって、前記ロボット（１２）の移動経路が変更される、請求項１〜１１のいずれか１項に記載の方法。
【請求項１３】
ハンドヘルド分析装置（２８）、特に血糖測定器（２８）を評価するのに適合した品質評価システムであって、テストエレメント（３６）に適用された試料液体中の分析対象物を試験するための一連のハンドリング工程において、ヒトユーザによって操作可能であり、前記品質評価システムは、
少なくとも一つのロボットアーム（２０）を備え、かつ、自動化されたハンドリングサイクルにおいてヒトユーザによって実施される一連のハンドリング工程を模倣するようにプログラムされたロボット（１２）と、
１または複数のハンドリングサイクルにおいて前記ハンドヘルド分析装置（２８）の操作を監視することに適合し、かつ、前記ハンドヘルド分析装置（２８）の品質に影響を及ぼす少なくとも１つのパラメータを評価することに適合した制御ユニット（１４）と
をさらに備え、
ここで前記自動化されたハンドリングサイクルが、少なくとも以下：
−前記ロボットアーム（２０）の人工指（３０）を使用して、試料液体、特に全血または人工血液を、テストエレメント（３６）に適用すること、
−前記ロボットアーム（２０）の受容端（２６）で前記ハンドヘルド分析装置（２８）をつかむこと、
−前記ロボットアーム（２０）によって前記ハンドヘルド分析装置（２８）を連続的に運ぶこと、または前記ロボットアーム（２０）の到達範囲内で間欠的に前記ハンドヘルド分析装置（２８）を配置すること、
の一つを含む、品質評価システム。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
約９０重量％以下のミネラルウールまたはパーライト、またはミネラルウールおよびパーライトの両方、ならびに天井タイルの全乾燥重量に基づいて０．１重量％〜４０重量％のミクロフィブリル化セルロースを含み、前記ミクロフィブリル化セルロースは約５μｍ〜約５００μｍのｄ５０および２０〜５０の繊維勾配（ｆｉｂｒｅ  ｓｔｅｅｐｎｅｓｓ）を有する、天井タイル。
【請求項２】
前記天井タイルは、木材パルプまたは紙パルプ、ならびに、任意に、デンプンおよび／またはラテックス結合剤をさらに含む、請求項１に記載の天井タイル。
【請求項３】
前記天井タイルは、前記天井タイルの全乾燥重量に基づいて、０．５重量％〜１０重量％のミクロフィブリル化セルロース組成物を含む、請求項１に記載の天井タイル。
【請求項４】
前記天井タイルは、前記天井タイルの全乾燥重量に基づいて、０．５重量％〜１０重量％のミクロフィブリル化セルロース組成物を含む、請求項２に記載の天井タイル。
【請求項５】
前記天井タイルは、前記天井タイルの全乾燥重量に基づいて、３０重量％〜９０重量％のパーライトを含む、請求項１に記載の天井タイル。
【請求項６】
前記天井タイルは、前記天井タイルの全乾燥重量に基づいて、３０重量％〜９０重量％のパーライトを含む、請求項２に記載の天井タイル。
【請求項７】
前記天井タイルは、前記天井タイルの全乾燥重量に基づいて、２５重量％以下の木材パルプまたは紙パルプを含む、請求項２のいずれか一項に記載の天井タイル。
【請求項８】
前記天井タイルは、前記天井タイルの全乾燥重量に基づいて、１０重量％以下の木材パルプまたは紙パルプを含む、請求項７に記載の天井タイル。
【請求項９】
前記天井タイルは、少なくとも４００ｋＰａの曲げ強度を有する、請求項１に記載の天井タイル。
【請求項１０】
前記天井タイルは、前記天井タイルの全乾燥重量に基づいて、０．５重量％〜２５重量％のミクロフィブリル化セルロースを含む、請求項５に記載の天井タイル。
【請求項１１】
前記天井タイルは、前記天井タイルの全乾燥重量に基づいて、０．５重量％〜２５重量％のミクロフィブリル化セルロースを含む、請求項６に記載の天井タイル。
【請求項１２】
前記天井タイルは、前記天井タイルの総乾燥重量に基づいて０．５重量％〜２５重量％のミクロフィブリル化セルロース、および前記天井タイルの総乾燥重量に基づいて２０重量％以下の木材パルプまたは紙パルプを含む、請求項５に記載の天井タイル。
【請求項１３】
前記天井タイルは、前記天井タイルの総乾燥重量に基づいて０．５重量％〜２５重量％のミクロフィブリル化セルロース、および前記天井タイルの総乾燥重量に基づいて２０重量％以下の木材パルプまたは紙パルプを含む、請求項６に記載の天井タイル。
【請求項１４】
前記ミクロフィブリル化セルロース組成物は、炭酸カルシウム、炭酸マグネシウム、ドロマイト、石膏、カオリン、ハロイサイト、ボールクレー、メタカオリン、カオリン、タルク、マイカ、ハンタイト、ハイドロマグネサイト、粉末ガラス、珪藻土、ウォラストナイト、二酸化チタン、水酸化マグネシウム、アルミニウム三水和物、石灰、グラファイト、もしくはそれらの組み合わせからなる群から選択される、１つまたは複数の無機粒子材料をさらに含む、請求項１に記載の天井タイル。
【請求項１５】
前記クロフィブリル化セルロース組成物は、炭酸カルシウム、炭酸マグネシウム、ドロマイト、石膏、カオリン、ハロイサイト、ボールクレー、メタカオリン、カオリン、タルク、マイカ、ハンタイト、ハイドロマグネサイト、粉末ガラス、珪藻土、ウォラストナイト、二酸化チタン、水酸化マグネシウム、アルミニウム三水和物、石灰、グラファイト、もしくはそれらの組み合わせからなる群から選択される、１つまたは複数の無機粒子材料をさらに含む、請求項２に記載の天井タイル。
【請求項１６】
前記無機粒子は、炭酸カルシウムまたはカオリンを含む、請求項１４に記載の天井タイル。
【請求項１７】
前記無機粒子は、炭酸カルシウムまたはカオリンを含む、請求項１５に記載の天井タイル。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
物体の少なくとも一部にX線放射線のビームを照射するためのX線源と、
X線と前記物体の少なくとも前記一部との相互作用を示す測定データを検出するための検出器アレイと、
直接再構成技術、反復再構成技術、またはその両方のためのプロセッサ実行可能命令を記憶するためのメモリと、
中央処理ユニットを有し、前記メモリに通信可能に結合されたプログラム可能な処理ユニットと
を備える画像化システムであって、プロセッサ実行可能命令の実行時に、前記プログラム可能な処理ユニットが、
前記検出器アレイからの測定データを受信し、
第1のボクセル寸法を有する複数のボクセルを有する第1のボリュームデータセットを受信し、
前記物体の前記一部の投影画像のビュー方向と実質的に平行なX線から得られたデータに対応する前記測定データの一部を選択し、
前記第1のボリュームデータセットと前記測定データの前記選択された一部とを使用して、第2のボクセル寸法を有する複数のボクセルを有する再構成された第2のボリュームデータセットを計算し、
前記再構成された第2のボリュームデータセットから前記ビュー方向に沿った前記物体の前記一部の前記投影画像をグラフィックユニットに生成させるように動作する、画像化システム。
【請求項２】
前記プログラム可能な処理ユニットが、前記測定データから前記第1のボリュームデータセットを計算するように動作する、請求項１に記載の画像化システム。
【請求項３】
前記投影画像の前記ビュー方向と実質的に平行なX線に対応する前記測定データの前記一部が、前記ビュー方向に対して0°と約45°との間の角度におけるX線から得られたデータを備える、請求項１に記載の画像化システム。
【請求項４】
前記投影画像の前記ビュー方向と実質的に平行なX線に対応する前記測定データの前記一部が、前記ビュー方向に対して0°と約15°との間の角度におけるX線から得られたデータを備える、請求項３に記載の画像化システム。
【請求項５】
前記投影画像の前記ビュー方向と実質的に平行なX線に対応する前記測定データの前記一部が、前記ビュー方向に対して0°と約5°との間の角度におけるX線から得られたデータを備える、請求項４に記載の画像化システム。
【請求項６】
前記第2のボクセル寸法が前記第1のボクセル寸法と等しい、請求項１に記載の画像化システム。
【請求項７】
前記第2のボクセル寸法のうちの少なくとも1つが、対応する第1のボクセル寸法よりも小さい、請求項１に記載の画像化システム。
【請求項８】
前記第2のボクセル寸法のうちの少なくとも1つが、対応する第1のボクセル寸法よりも大きい、請求項１に記載の画像化システム。
【請求項９】
前記プログラム可能な処理ユニットが、前記第1のボリュームデータセットまたは前記再構成された第2のボリュームデータセットの座標軸を前記ビュー方向と整列するように回転させるようにさらに動作する、請求項１に記載の画像化システム。
【請求項１０】
前記第1のボリュームデータセットまたは前記再構成された第2のボリュームデータセットの座標軸の前記回転が、線形補間または直交座標から極座標へのマッピングを実行することを備える、請求項９に記載の画像化システム。
【請求項１１】
前記第1のボリュームデータセットまたは前記再構成された第2のボリュームデータセットの前記計算が、直接再構成技法、または反復再構成技法、またはその両方を適用することを備える、請求項２に記載の画像化システム。
【請求項１２】
前記反復再構成技法が、同時代数的再構成技法(SART)、同時反復再構成技法(SIRT)、順序付きサブセットコンベックス技法(OSC)、適応的統計的反復再構成技法(ASIR)、OS分離可能放物線サロゲート技法(OS-SPS)、代数的再構成技法(ART)、またはKacsmarz再構成技法のうちの1つまたは複数を備える、請求項１１に記載の画像化システム。
【請求項１３】
前記測定データが前記物体の少なくとも前記一部の密度を表す、請求項１に記載の画像化システム。
【請求項１４】
前記測定データが前記物体の少なくとも前記一部の実効原子番号を表す、請求項１に記載の画像化システム。
【請求項１５】
前記投影画像が正射影である、請求項１に記載の画像化システム。
【請求項１６】
前記投影画像が透視投影である、請求項１に記載の画像化システム。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
撮像システムのＸ線又はガンマ放射線検出器アレイであって、
複数の検出器モジュールを有し、
前記複数の検出器モジュールの各々が、複数の検出器画素を含み、
前記複数の検出器画素の各々は、一体的画素境界と、前記一体的画素境界内の直接変換アクティブ領域とを有する放射線受信面を備える、放射線検出器アレイ。
【請求項２】
前記複数の検出器画素の各々が、
複数の列を備える第１の物質と、
前記複数の列の第１のサブセットに配置される第１のナノ物質とを更に含む、請求項１に記載の放射線検出システム。
【請求項３】
前記複数の列の前記第１のサブセットにおける前記第１のナノ物質が、前記一体的画素境界である、請求項２に記載の放射線検出システム。
【請求項４】
前記第１のナノ物質が、量子ドットを含む、請求項２又は３に記載の放射線検出システム。
【請求項５】
第１のナノ物質が、封入された鉛又はチタンを含む、請求項２乃至４のいずれか１項に記載の放射線検出システム。
【請求項６】
前記複数の検出器画素の各々が、前記複数の列の第２の異なるサブセットに配置される第２のナノ物質を更に含む、請求項２乃至５のいずれか１項に記載の放射線検出システム。
【請求項７】
前記複数の列の前記第２の異なるサブセットにおける前記第２のナノ物質が、前記一体的画素境界内の前記直接変換アクティブ領域である、請求項６に記載の放射線検出システム。
【請求項８】
前記複数の列の少なくとも２つが、異なる長さを持ち、各異なる長さは、異なる光子エネルギーに対応する、請求項２に記載の放射線検出システム。
【請求項９】
前記一体的画素境界が、前記直接変換アクティブ領域から電気的に絶縁され、メタライゼーションを介して１つ又は複数の点で電気的に接続される、請求項１乃至８のいずれか１項に記載の放射線検出システム。
【請求項１０】
前記複数の画素の少なくとも１つの画素が、前記複数の列に配置された前記第１のナノ物質を備える前記複数の列を持つ前記第１の物質を含むサブ画素を有する、請求項１乃至９のいずれかに記載の放射線検出システム。
【請求項１１】
方法において、
一体的画素境界を含むナノ物質検出器画素で放射線を受信するステップと、
前記受信した放射線のエネルギーを示す信号を前記検出器画素で生成するステップと、
前記信号を再構成し画像を構築するステップとを有する、方法。
【請求項１２】
前記検出器画素が、第１の物質内の第１のセットの列を含み、前記第１のセットの列における第１のナノ物質で、前記第１のセットの列を横断する第１の放射線を減衰させるステップを更に有する、請求項１１に記載の方法。
【請求項１３】
前記検出器画素が、前記第１のセットの列によって囲まれる、前記第１の物質内の第２のセットの列を含み、前記第２のセットの列の第２のナノ物質と前記第１の物質との相互作用を介して、前記第２のセットの列を横切る放射線を電気信号又はパルスに変換するステップを更に有する、請求項１２に記載の方法。
【請求項１４】
前記第２のセットの列の１つの列を用いて、第１の光子の第１のエネルギーを示す第１の単一信号を生成するステップと、
前記第２のセットの列の別の１つの列を用いて、第２の光子の第２のエネルギーを示す第２の単一信号を生成するステップであって、前記第１及び第２のエネルギーが異なるエネルギーであるステップとを更に有する、請求項１３に記載の方法。
【請求項１５】
コンピュータ断層撮影システムであって、
検査領域を横断するＸ線放射線を放射するＸ線放射源と、
一体的画素境界を備えるナノ物質撮像検出器であって、検査領域を横断するＸ線放射線を検出するナノ物質撮像検出器と、
前記ナノ物質撮像検出器の出力を再構成し、前記検査領域のＣＴ画像を生成する再構成器とを有する、コンピュータ断層撮影システム。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
遠位端および近位端を有し、全長に沿って略一定の径を有するロッドであって、前記遠位端は、前記患者の脳への経頭蓋挿入に適合するロッドと、
前記ロッドの遠位端に配置されるカラーセンサ組立体と、
前記カラーセンサ組立体により検知された色に対応する色を表示するように動作可能で、前記ロッドの近位端に配置される、光を備えるディスプレイと、
前記ロッドの遠位端にある発光体と、
前記光が、前記カラーセンサ組立体により検出された任意の光の色に似せた色を表示するよう、前記カラーセンサ組立体から信号を受信し、前記光を作動させるように動作可能なコントローラと
を備える、患者の脳内にある組織を特定する装置。
【請求項２】
前記ディスプレイが前記ロッドの径を超えないよう、前記光は、前記ロッドの径より小さい横寸法を有し、前記ロッドの近位端の近位対向面に配置される、請求項１に記載の装置。
【請求項３】
前記ロッドの近位端に固定される近位ハウジングをさらに備え、前記光は、前記ハウジングに配置される、請求項１に記載の装置。
【請求項４】
前記ハウジングは、前記ロッドの近位端に着脱可能に取り付けられる、請求項３に記載の装置。
【請求項５】
前記光は、多色発光ダイオード（Light-Emitting Diode：ＬＥＤ）、有機発光ダイオード（Organic Light-Emitting Diode：ＯＬＥＤ）、またはポリマ発光ダイオード（Polymer Light-Emitting Diode：ＰＬＥＤ）アレイを備える、請求項１に記載の装置。
【請求項６】
前記光は、単色ＬＥＤ、ＯＬＥＤ、またはＰＬＥＤを備える、請求項１に記載の装置。
【請求項７】
前記ロッドの遠位端は、オブチュレータとして構成され、シースの内腔に合致するようにサイズ調整される、請求項１に記載の装置。
【請求項８】
前記カラーセンサ組立体は、異なる色の光を検出するように動作可能な多色センサを備える、請求項１に記載の装置。
【請求項９】
前記カラーセンサ組立体は、単色の光を検出するように動作可能な単色センサを備える、請求項１に記載の装置。
【請求項１０】
前記発光体は、赤外光源を備える、請求項１に記載の装置。
【請求項１１】
遠位端および近位端を有する細長いプローブであって、前記遠位端は、前記患者の脳への経頭蓋挿入に適合しているプローブと、
複数のカラーセンサを備え、前記プローブの遠位端に配置され、前記複数のカラーセンサに反射する光の特性に対応する信号を生成するカラーセンサ組立体と、
前記プローブの遠位端にある発光体と、
前記信号を、使用者に対して表示するのに適したデータに変換するために、前記複数のカラーセンサに作動的に接続されるコントローラと、
前記複数のカラーセンサに光を反射する組織に対応するデータを視覚化するために、前記コントローラに作動的に接続されるディスプレイと、
前記プローブの遠位端が前記患者の脳内に配置された後、前記プローブの近位端を越えて前記患者の脳に挿入するために、サイズおよび寸法が調整されるシースと
を備える、患者の脳内にある血液塊を特定するシステム。
【請求項１２】
遠位端および近位端を有する細長いプローブであって、前記遠位端は、前記患者の脳への経頭蓋挿入に適合しているプローブと、
前記プローブの遠位端に配置され、複数のカラーセンサに反射する光の特性に対応する信号を生成するカラーセンサ組立体と、
前記プローブの遠位端にある発光体と、
前記信号を、使用者に対して表示するのに適したデータに変換するために、前記複数のカラーセンサに作動的に接続されるコントローラと、
前記複数のカラーセンサに光を反射する組織に対応するデータを視覚化するために、前記コントローラに作動的に接続されるディスプレイと、
前記プローブの上に配置されるシースと
を備え、前記プローブの遠位端のサイズは、オブチュレータとして機能し、シースと併用されるように調整される、患者の脳内にある血液塊を特定するシステム。
【請求項１３】
遠位端および近位端を有し、全長に沿って略一定の径を有するロッドであって、前記遠位端は、前記患者の脳への経頭蓋挿入に適合するロッドと、
前記ロッドの遠位端に配置されるカラーセンサ組立体と、
前記カラーセンサ組立体により検知された色に対応する色を表示するように動作可能で、前記ロッドの近位端に配置される、光で構成されるディスプレイと、
前記ロッドの遠位端にある発光体と、
前記光が、前記カラーセンサ組立体により検出された任意の光の色に似せた色を表示するよう、前記カラーセンサ組立体から信号を受信し、前記光を作動させるように動作可能なコントローラと
を備える、患者の脳内にある組織を特定する装置。
【請求項１４】
前記ディスプレイが前記ロッドの径を超えないよう、前記光は、前記ロッドの径より小さい横寸法を有し、前記ロッドの近位端の近位対向面に配置される、請求項１３に記載の装置。
【請求項１５】
前記ロッドの近位端に固定される近位ハウジングをさらに備え、前記光は、前記ハウジングに配置される、請求項１３に記載の装置。
【請求項１６】
前記ハウジングは、前記ロッドの近位端に着脱可能に取り付けられる、請求項１５に記載の装置。
【請求項１７】
前記光は、多色発光ダイオード（Light-Emitting Diode：ＬＥＤ）、有機発光ダイオード（Organic Light-Emitting Diode：ＯＬＥＤ）、またはポリマ発光ダイオード（Polymer Light-Emitting Diode：ＰＬＥＤ）アレイを備える、請求項１３に記載の装置。
【請求項１８】
前記光は、単色ＬＥＤ、ＯＬＥＤ、またはＰＬＥＤで構成される、請求項１３に記載の装置。
【請求項１９】
前記ロッドの遠位端は、オブチュレータとして構成され、シースの内腔に合致するようにサイズ調整される、請求項１３に記載の装置。
【請求項２０】
前記カラーセンサ組立体は、異なる色の光を検出するように動作可能な多色センサを備える、請求項１３に記載の装置。
【請求項２１】
前記カラーセンサ組立体は、単色の光を検出するように動作可能な単色センサで構成される、請求項１３に記載の装置。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
ａ）患者の歯と歯肉の空間情報を含む口腔プロファイルを受信するステップと、
ｂ）口腔プロファイルから、患者の歯と歯肉の空間情報の数値表示を含む初期モールドプロファイルを生成するステップと、
ｃ）複数の歯の制御点と複数の歯肉の制御点を初期モールドプロファイルに割り当てるステップであって、
前記複数の歯肉の制御点が初期モールドプロファイルの歯肉の壁の表面に割り当てられ、
前記複数の歯の制御点の第１部が初期モールドプロファイルの第１歯に配置されるステップと、
ｄ）複数の歯肉の制御点のうちの第１歯肉制御点と、隣接する制御点との間に第１力場ベクトルを割り当てるステップであって、前記第１力場ベクトルは、隣接する歯肉及び歯の制御点の第１グループにおいて、隣接する制御点の動きに基づいて割り当てるステップと、
ｅ）隣接する歯肉と歯の制御点の第１グループにおいて、残る制御点の動きに基づいて、第１歯肉制御点のための残された力場ベクトルを特定するために前記ステップｄ）を繰り返すステップと、
ｆ）前記複数の歯肉の制御点において、残る歯肉の制御点のために前記ステップｄ）及びｅ）を繰り返すステップと、
ｇ）前記複数の歯の制御点の第１部のいずれかの歯の制御点と、前記複数の歯の制御点の第１部の他の全ての歯の制御点との間の距離が変化しない条件で、前記複数の歯の制御点のための歯の制御点の動きを受信するステップと、
ｈ）受信した歯の制御点の動きに応じて、前記複数の歯肉の制御点の動きを算出するために有限要素解析を実行するステップと、
ｉ）新しいモールドプロファイルを生成するステップと、
を備えるコンピュータプロセッサ（１０２）により実行される、方法。
【請求項２】
さらに、新しいモールドプロファイルを使用してモールド（４００）を生成するコンピュータプロセッサ（１０２）により実行される、請求項１に記載の方法。
【請求項３】
前記モールド（４００）は、患者の歯肉ラインから２ｍｍの歯肉を含み、さらに前記モールド（４００）を使用してアライナを生成する前記コンピュータプロセッサ（１０２）によって実行される次のステップを備え、前記アライナは、患者の歯肉ラインから少なくとも２ｍｍの広がったエッジを含む、請求項２に記載の方法。
【請求項４】
前記口腔プロファイルを受信するステップは、さらに、遠隔コンピュータから口腔プロファイルを受信するステップ、患者の初期モールド（４００）を３Ｄスキャンするステップ、又は６つの異なるモールドプロファイルを生成するために少なくとも６回、前記ステップａ）からｉ）を繰り返すステップを備える、請求項１から３のいずれか１項に記載の方法。
【請求項５】
６つの異なるモールドプロファイルを生成するために少なくとも６回、前記ステップａ）〜ｉ）を繰り返すステップと、
前記６つの異なるモールドプロファイルから６つのモールド（４００）を生成するステップと、
前記６つのモールド（４００）から６つのアライナを生成するステップと、
をさらに備えるコンピュータプロセッサ（１０２）により実行される、請求項１から４のいずれか１項に記載の方法。
【請求項６】
前記有限要素解析は、さらに、
患者の歯肉の一部に隣接し、前記複数の歯肉の制御点に含まれる、１セットの歯肉の制御点の動きを推定するステップと、
前記１セットの歯肉の制御点の動きを平均するステップと、
によって患者の歯肉の一部の移動を予測するステップを備える、請求項１から５のいずれか１項に記載の方法。
【請求項７】
前記有限要素解析は、さらに、
患者の歯肉の一部に隣接し、前記複数の歯肉の制御点に含まれる１セットの歯肉の制御点の動きを推定するステップと、
前記１セットの歯肉の制御点の動きを使用して、歯肉の一部でのサンプル点の重量平均の動きを推定するステップと、
によって患者の歯肉の一部の動きを予測するステップを備える、請求項１から６のいずれか１項に記載の方法。
【請求項８】
プロセッサ（１０２）での実行時、前記プロセッサ（１０２）に、
ａ）患者の歯と歯肉の空間情報を含む口腔プロファイルを受信するステップと、
ｂ）前記口腔プロファイルから、患者の歯肉の空間情報の数値表示を含む初期モールドプロファイルを生成するステップと、
ｃ）複数の歯の制御点と複数の歯肉の制御点を初期モールドプロファイルに割り当てるステップであって、
前記複数の歯肉の制御点が初期モールドプロファイルの歯肉の壁の表面に割り当てられ、
前記複数の歯の制御点の第１部が初期モールドプロファイルの第１歯に配置されるステップと、
ｄ）前記複数の歯肉の制御点のうちの第１歯肉制御点と隣接する制御点の間の第１力場ベクトルを特定するステップであって、前記第１力場ベクトルは、隣接する歯肉と歯の制御点の第１グループでの隣接する制御点の動きに基づいて特定されるステップと、
ｅ）隣接する歯肉と歯の制御点の第１グループにおいて、残された制御点の動きに基づいて、第１歯肉制御点のために残された力場ベクトルを特定するために前記ステップｄ）を繰り返すステップと、
ｆ）前記複数の歯肉の制御点のうち、残された歯肉の制御点のために前記ステップｄ）及びｅ）を繰り返すステップと、
ｇ）前記複数の歯の制御点の第１部のうち、いずれかの歯の制御点と、他の全ての歯の制御点との間の距離が変化しない条件下で、前記複数の歯の制御点のために歯の制御点の動きを受信するステップと、
ｈ）受信した歯の制御点の動きに応じて前記複数の歯肉の制御点の動きを算出するために有限要素解析を実行するステップと、
ｉ）新しいモールドプロファイルを生成するステップと、
を実行させる、指令が格納された不揮発性のコンピュータで読取可能な媒体。
【請求項９】
さらに、前記プロセッサ（１０２）での実行時、指令により前記プロセッサ（１０２）に、遠隔コンピュータから口腔プロファイルを受信させるステップ、患者の初期モールド（４００）の３Ｄスキャニングから口腔プロファイルを受信させるステップ、又は６つの異なるモールドプロファイルを生成するために、少なくとも６回、前記ステップａ）からｉ）を繰り返させるステップを備える、請求項８に記載のコンピュータで読取可能な媒体。
【請求項１０】
さらに、前記プロセッサ（１０２）での実行時、
前記複数の歯肉の制御点を有し、患者の歯肉の一部に隣接する１セットの歯肉の制御点の動きを演算するステップと、
前記１セットの歯肉の制御点の動きを平均化するステップと、
により、指令にて前記プロセッサ（１０２）に患者の歯肉の一部の動きを評価させるステップをさらに備える、請求項８または９に記載のコンピュータで読取可能な媒体。
【請求項１１】
さらに、前記プロセッサ（１０２）での実行時、
前記複数の歯肉の制御点を有し、患者の歯肉の一部に隣接する１セットの歯肉の制御点の動きを推定するステップと、
前記１セットの歯肉の制御点の動きを使用して歯肉の一部にサンプル点の重量平均の動きを演算するステップと、
により、指令にて前記プロセッサ（１０２）に患者の歯肉の一部の動きを評価させるステップをさらに備える、請求項８から１０のいずれか１項に記載のコンピュータで読取可能な媒体。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ａ）ブリッジであって、近傍端と、遠方端と、前記ブリッジの前記近傍端及び前記遠方端の間に画定されるアーチ部分と、を備えるブリッジと、
ｂ）前記ブリッジに結合され、その長さに沿って放射線不透過性材料を含む延伸内側テザーと、
ｃ）前記ブリッジ及び前記延伸内側テザーを包囲して収容する外側さや部材と、
を備えることを特徴とするインプラント。
【請求項２】
前記アーチ部分と、前記ブリッジと合致する前記延伸内側テザーの一部とを包囲する包装を更に備える、ことを特徴とする請求項１に記載のインプラント。
【請求項３】
前記包装は、前記ブリッジ及び前記延伸内側テザーの周囲で収縮したポリマーチューブである、ことを特徴とする請求項２に記載のインプラント。
【請求項４】
その長さに沿って、前記ブリッジの各端を包囲する、可変デュロメータの引っ張り軽減部分を更に備え、前記延伸内側テザーは、各引っ張り軽減部分を通過する、ことを特徴とする請求項１に記載のインプラント。
【請求項５】
前記外側さや材料内に配置される選択的に取り外し可能な近傍プッシュチューブを更に備え、前記近傍プッシュチューブの遠方端は、前記ブリッジの近傍端領域に当接し、前記内側延伸テザーは、前記近傍プッシュチューブの中央内腔を通過する、ことを特徴とする請求項１に記載のインプラント。
【請求項６】
前記外側さや部材内に配置される選択的に取り外し可能な遠方プルチューブを更に備え、前記遠方プルチューブの近傍端は、前記ブリッジの遠方端領域に当接し、前記内側延伸テザーは、前記遠方プルチューブの中央内腔を通過する、ことを特徴とする請求項５に記載のインプラント。
【請求項７】
前記近傍プッシュチューブ及び前記遠方プルチューブは、少なくとも部分的に、ポリマー材料からそれぞれ形成される、ことを特徴とする請求項６に記載のインプラント。
【請求項８】
前記内側テザーは、その長さに沿って、内部に挿入された放射線不透過性ワイヤを備える、ことを特徴とする請求項１に記載のインプラント。
【請求項９】
前記内側テザーは、その長さに沿って、埋め込まれた放射線不透過性材料を備える、ことを特徴とする請求項１に記載のインプラント。
【請求項１０】
インプラントロックをさらに備え、
前記外側さや部材の第１および第２の端は、前記インプラントロックを通して方向付けられる請求項１に記載のインプラント。
【請求項１１】
前記ブリッジが、脈管構造に沿って送り込まれる際には全体的に線形であり、完全に展開されると望ましい保護装置の形状となる記憶合金材料から形成される請求項１に記載のインプラント。
【請求項１２】
前記ブリッジが、３次元曲線を有し、個人の個別の生体構造に適合する請求項１に記載のインプラント。
【請求項１３】
前記ブリッジが、上面、下面、および２つのアーチ状の側面を有する中実の全体的にアーチ状のボディを含む請求項１に記載のインプラント。
【請求項１４】
前記インプラントロックは、遠方開口を備え、その内部に配置された２つの遠方延伸スリーブを順に含むロックボディを含む請求項１０に記載のインプラント。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
酸化クロム触媒組成物であって、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、
前記酸化クロム触媒組成物は約１５０ｍ2／ｇ以上のＢＥＴ表面積を有し、且つ
酸化クロム（ＩＩＩ）と酸化クロム（ＶＩ）とが合計で、前記酸化クロム触媒組成物の総質量に対して約９６質量％以上の量で存在する、
前記酸化クロム触媒組成物。
【請求項２】
前記酸化クロム（ＶＩ）が、酸化クロム触媒組成物中の酸化クロムの全含有量に対して約５０００ｐｐｍ以下の量で存在する、請求項１に記載の酸化クロム触媒組成物。
【請求項３】
前記酸化クロム（ＩＩＩ）が、酸化クロム触媒組成物中の酸化クロムの全含有量に対して約９９質量％以上の量で存在する、請求項１に記載の酸化クロム触媒組成物。
【請求項４】
前記酸化クロム触媒組成物がキセロゲルであり、且つ、前記キセロゲルが約８０％以上のアモルファスである、請求項１に記載の酸化クロム触媒組成物。
【請求項５】
前記酸化クロム触媒組成物が、ペレット、ビーズ、押出物、リング、球、円柱、三つ葉または四つ葉状の片の形態である、請求項１に記載の酸化クロム触媒組成物。
【請求項６】
前記酸化クロム触媒組成物が基材と接触している、請求項１に記載の酸化クロム触媒組成物。
【請求項７】
前記基材が、アルミナ（Ａｌ2Ｏ3）、フッ化アルミニウム（ＡｌＦ3）、フッ素化アルミナ、シリカ（ＳｉＯ2）、チタニア（ＴｉＯ2）、ジルコニア（ＺｒＯ2）、酸化マグネシウム（ＭｇＯ）、フッ化マグネシウム（ＭｇＦ2）、フッ化カルシウム（ＣａＦ2）、カーボン材料（例えば活性炭、木炭またはカーボンブラック）またはそれらの組み合わせを含む、請求項６に記載の酸化クロム触媒組成物。
【請求項８】
酸化クロム触媒組成物の製造方法であって、
水性溶剤中および有機の還元溶剤中に酸化クロム（ＶＩ）を含む混合物を形成すること、
前記混合物を還流させてスラリーを形成すること、および
前記スラリーを乾燥させて、粉末中の酸化クロムの全含有量に対して約１００００ｐｐｍ以下の量の酸化クロム（ＶＩ）を有する粉末を形成すること
を含む、前記方法。
【請求項９】
前記方法がさらに、クロム（ＶＩ）をクロム（ＩＩＩ）に還元することを含む、請求項８に記載の方法。
【請求項１０】
前記方法がさらに、有機の還元溶剤を酸化することを含む、請求項８に記載の方法。
【請求項１１】
前記有機の還元溶剤がイソブチルアルコールを含み、且つ前記方法がさらに、イソブチルアルコールを酸化して、イソブチルアルデヒドおよびイソ酪酸を形成すること、および
前記イソ酪酸と前記水性溶剤中の酸化クロム（ＶＩ）とを反応させて、アセトンおよび二酸化炭素を形成すること、
を含む、請求項８に記載の方法。
【請求項１２】
前記還流を、約５０℃〜約２５０℃の範囲の温度で実施する、請求項８に記載の方法。
【請求項１３】
前記粉末がキセロゲルである、請求項８に記載の方法。
【請求項１４】
前記キセロゲルは、約８０％以上がアモルファスである、請求項１３に記載の方法。
【請求項１５】
前記粉末が、前記粉末中に存在する酸化クロムの全含有量に対して約５０００ｐｐｍ以下の量で酸化クロム（ＶＩ）を含有する、請求項８に記載の方法。
【請求項１６】
さらに、前記粉末を、約３００℃〜約５００℃の範囲の温度でか焼することを含む、請求項８に記載の方法。
【請求項１７】
か焼された粉末が、前記か焼された粉末中に存在する酸化クロムの全含有量に対して約１００００ｐｐｍ以下の量で酸化クロム（ＶＩ）を含有する、請求項１６に記載の方法。
【請求項１８】
さらに、前記粉末と潤滑剤とを配合することを含む、請求項８に記載の方法。
【請求項１９】
前記有機の還元溶剤の、酸化クロム（ＶＩ）に対するモル比が、約０．２〜約４．０の範囲である、請求項８に記載の方法。
【請求項２０】
酸化クロム触媒系であって、
基材、
前記基材と接触している酸化クロム触媒組成物
を含み、
前記酸化クロム触媒組成物は、
酸化クロム（ＩＩＩ）、および
前記酸化クロム触媒組成物中の酸化クロムの全含有量に対して約１００００ｐｐｍ以下の量で存在する酸化クロム（ＶＩ）
を含み、
前記酸化クロム触媒組成物は約１５０ｍ2／ｇ以上のＢＥＴ表面積を有し、且つ
前記酸化クロム（ＩＩＩ）と前記酸化クロム（ＶＩ）とが合計で、前記酸化クロム触媒組成物の総質量に対して約９６％以上の量で存在する、前記酸化クロム触媒系。
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
ＵＶ−Ｃ浄化装置であって、
気体、液体若しくは固体状又はこれらの組み合わせの流体にＵＶ−Ｃ光を当てるための１つ以上のＵＶ−Ｃ  ＬＥＤモジュールであって、各モジュールが、
底面及び上面を有するＰＣＢと、
前記ＰＣＢ上に配置された１つ以上のＵＶ−Ｃ  ＬＥＤと、
１つ以上のＵＶ−Ｃ透過性窓要素と、
を有し、
前記１つ以上のＵＶ−Ｃ  ＬＥＤが前記１つ以上のＵＶ−Ｃ透過性窓要素と光学的に連通しており、
前記１つ以上のＵＶ−Ｃ透過性窓要素は、更に、上面、側面、及び前記ＰＣＢをカプセル化するための中空中央部分を更に有し、前記１つ以上のＵＶ−Ｃ透過性窓要素は、取り外し可能で交換可能である、
ＵＶ−Ｃ浄化装置。
【請求項２】
前記１つ以上のＵＶ−Ｃ透過性窓要素が、前記１つ以上のＵＶ−Ｃ透過性窓要素の前記上面に対向する部分的な底部領域を更に含む、請求項１に記載のＵＶ−Ｃ浄化装置。
【請求項３】
前記１つ以上のＵＶ−Ｃ透過性窓要素の前記部分的な底部領域は、前記ＵＶ−Ｃ透過性窓要素の側面からＵＶ−Ｃ透過性窓要素の上面の中心線に向かう方向に延びることができる、請求項１又は２に記載のＵＶ−Ｃ浄化装置。
【請求項４】
前記装置は、前記ＰＣＢを囲むＰＣＢハウジングを更に有する、請求項１乃至３の何れか一項に記載のＵＶ−Ｃ浄化装置。
【請求項５】
前記ＰＣＢハウジングは、前記ＰＣＢの外縁を囲んでいる、請求項４に記載のＵＶ−Ｃ浄化装置。
【請求項６】
前記ＰＣＢハウジングは、前記１つ以上のＵＶ−Ｃ透過性窓要素が封止する領域を更に有する、請求項４に記載のＵＶ−Ｃ浄化装置。
【請求項７】
前記ＰＣＢハウジングは、前記ＵＶ−Ｃ  ＬＥＤモジュールを所望の位置に固定するための固定部を更に含む、請求項４乃至６の何れか一項に記載のＵＶ−Ｃ浄化装置。
【請求項８】
前記流体の輸送又は貯蔵のための通路を更に有する、請求項１乃至７の何れか一項に記載のＵＶ−Ｃ浄化装置。
【請求項９】
前記１つ以上のＵＶ−Ｃ  ＬＥＤモジュールが前記通路の領域を照らすように配される、請求項８に記載のＵＶ−Ｃ浄化装置。
【請求項１０】
前記１つ以上のＵＶ−Ｃ透過性窓要素はシリコーン材料を含んでいる、請求項１乃至９の何れか一項に記載のＵＶ−Ｃ浄化装置。
【請求項１１】
冷蔵庫、冷凍庫、コーヒーマシン、アイスクリームマシン、製氷機、室内加湿器、冷飲料ディスペンサ、温かい飲料ディスペンサ、スラッシュドリンクマシン、氷貯蔵ビン、温水槽、空調装置、消火装置及びフードプロセッサーのグループから選択される何らかの消費者装置である、請求項１乃至１０の何れか一項に記載のＵＶ−Ｃ浄化装置を有する消費者装置。
【請求項１２】
冷蔵庫、冷凍庫、コーヒーマシン、アイスクリームマシン、製氷機、室内加湿器、冷飲料ディスペンサ、温かい飲料ディスペンサ、スラッシュドリンクマシン、氷貯蔵ビン、温水槽、空調装置、消火装置及びフードプロセッサのグループから選択される任意の産業用装置である、請求項１乃至１０の何れか一項に記載のＵＶ−Ｃ浄化装置を有する産業用装置。
【請求項１３】
流体浄化方法であって、
１つ以上のＵＶ−Ｃ  ＬＥＤモジュールによって生成されるＵＶ−Ｃ光を気体、液体若しくは固体状又はこれらの組み合わせの流体に当てるステップであって、各モジュールが、
底面及び上面を有するＰＣＢ、
前記ＰＣＢ上に配置された１つ以上のＵＶ−Ｃ  ＬＥＤ、及び
１つ以上のＵＶ−Ｃ透過性窓要素
を有し、
前記１つ以上のＵＶ−Ｃ  ＬＥＤが前記１つ以上のＵＶ−Ｃ透過性窓要素と光学的に連通しており、
前記１つ以上のＵＶ−Ｃ透過性窓要素は、上面、側面及び前記ＰＣＢをカプセル化するための中空中央部分を更に有する、
ステップを有する、流体浄化方法。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
熱可塑性材料によって一体に保持された強化繊維のウェブを含む多孔質コア層と、
前記多孔質コア層上に配置されているポリマー粉末を含む粉体塗装層と、
を含む熱可塑性複合物品であって、前記粉末の平均粒子サイズが、前記粉体塗装層と前記多孔質コア層との間に界面が得られるように選択され、前記粉体塗装層の実質的に全ての前記配置されている粉末が前記界面の上に存在する、前記熱可塑性複合物品。
【請求項２】
前記コア層の空隙率が、前記コア層の体積基準で１０より大きい、請求項１に記載の熱可塑性複合物品。
【請求項３】
前記粉体塗装層が熱可塑性材料を含み、前記多孔質コア層の前記熱可塑性材料が前記粉体塗装層の前記熱可塑性材料と同じであるか異なる、請求項１に記載の熱可塑性複合物品。
【請求項４】
前記多孔質コア層の前記熱可塑性材料がポリオレフィンであり、前記粉体塗装層の前記熱可塑性材料が非ポリオレフィンまたはポリオレフィンである、請求項３に記載の熱可塑性複合物品。
【請求項５】
前記多孔質コア層の前記熱可塑性材料が、ポリエチレン、ポリプロピレン、ポリスチレン、ポリイミド、ポリエーテルイミド、ポリアミド、アクリロニトリルスチレン、ブタジエン、ポリエチレンテレフタレート、ポリブチレンテレフタレート、ポリブチレンテトラクロレート、ポリ塩化ビニル、ポリフェニレンエーテル、ポリカーボネート、ポリエステルカーボネート、ポリエステル、アクリロニトリル−ブチルアクリレート−スチレンポリマー、アモルファスナイロン、ポリアリーレンエーテルケトン、ポリフェニレンサルファイド、ポリアリールスルホン、ポリエーテルスルホン、ポリ（１，４フェニレン）化合物、シリコーン、及びこれらの混合物からなる群から選択される、請求項３に記載の熱可塑性複合物品。
【請求項６】
前記粉体塗装層の前記熱可塑性材料がポリウレタンまたはポリアミドまたはコポリアミドまたはポリプロピレンを含む、請求項３に記載の熱可塑性複合物品。
【請求項７】
前記強化繊維が、ガラス繊維、アラミド繊維、グラファイト繊維、炭素繊維、無機鉱物繊維、金属繊維、金属化合成繊維、及び金属化無機繊維、並びにこれらの組み合わせからなる群から選択される、請求項１に記載の熱可塑性複合物品。
【請求項８】
前記多孔質コア層がロフティング剤を更に含む、請求項１に記載の熱可塑性複合物品。
【請求項９】
前記多孔質コア層と前記粉体塗装層との間に障壁が存在せず、結果として前記粉体塗装層が前記多孔質コア層の上に直接配置される、請求項１に記載の熱可塑性複合物品。
【請求項１０】
前記粉体塗装層の上に配置されたスキン層を更に含む、請求項１に記載の熱可塑性複合物品。
【請求項１１】
前記スキン層が、フィルム、フリム、スクリム、箔、紙、織布、不織布、発泡体、無機コーティング、有機コーティング、熱可塑性コーティング、及び熱硬化性材料コーティングからなる群から選択される、請求項１０に記載の熱可塑性複合物品。
【請求項１２】
前記スキン層の上に配置された装飾層を更に含む、請求項１０に記載の熱可塑性複合物品。
【請求項１３】
前記多孔質コア層が、前記多孔質コア層の少なくとも１０体積％の空隙率を有し、前記多孔質コア層が、前記粉体塗装層中の熱可塑性材料とは異なる熱可塑性材料を更に含む、請求項１０に記載の熱可塑性複合物品。
【請求項１４】
前記多孔質コア層が、前記多孔質コア層の少なくとも１０体積％の空隙率を有し、前記多孔質コア層が、前記粉体塗装層中の熱可塑性材料と同じ熱可塑性材料を更に含む、請求項１０に記載の熱可塑性複合物品。
【請求項１５】
前記多孔質コア層が約３００ｇｓｍ〜約３０００ｇｓｍの坪量を有し、前記粉体塗装層が約２０ｇｓｍ〜約２００ｇｓｍの坪量を有する、請求項１０に記載の熱可塑性複合物品。
【請求項１６】
前記粉体塗装層が、２０１０年付けのＡＳＴＭ  Ｄ９０３の１８０°剥離により試験される、縦方向に少なくとも１２５Ｎ／ｍ及び横方向に少なくとも１２５Ｎ／ｍの平均剥離強度を前記スキン層に付与するために有効である、請求項１５に記載の熱可塑性複合物品。
【請求項１７】
前記粉体塗装層が、２０１０年付けのＡＳＴＭ  Ｄ９０３の１８０°剥離により試験される、縦方向に少なくとも３９０Ｎ／ｍ及び横方向に少なくとも３９０Ｎ／ｍの平均剥離強度を前記スキン層に付与するために有効である、請求項１５に記載の熱可塑性複合物品。
【請求項１８】
前記粉体塗装層が、２０１０年付けのＡＳＴＭ  Ｄ９０３の１８０°剥離により試験される、縦方向に少なくとも２５０Ｎ／ｍ及び横方向に少なくとも２５０Ｎ／ｍの平均剥離強度を前記スキン層に付与するために有効である、請求項１５に記載の熱可塑性複合物品。
【請求項１９】
前記多孔質コア層の上の前記粉体塗装層の坪量が、２０１０年付けのＡＳＴＭ  Ｄ９０３の１８０°剥離により試験される前記多孔質コア層の上に配置された熱可塑性フィルムによって与えられる基準剥離強度と同じかそれより大きい２０１０年付けのＡＳＴＭ  Ｄ９０３の１８０°剥離により試験される剥離強度が得られるように選択される、請求項１に記載の熱可塑性複合物品。
【請求項２０】
前記基準剥離強度が、約５０ｇｓｍ〜約１００ｇｓｍの坪量を有する熱可塑性フィルムを使用して決定される、請求項１９に記載の熱可塑性複合物品。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
ガスフィルタメディアであって、
１ミクロン未満の平均直径を有する微細繊維を含む表面負荷フィルタ層と、
深層負荷フィルタ層と、
支持層と
を含み
前記層が、前記表面負荷フィルタ層が最も上流層にある状態でのガス流における配置のために構成および配置される、ガスフィルタメディア。
【請求項２】
前記深層負荷フィルタ層が、前記表面負荷層と前記支持層との間に位置付けられる、請求項１に記載のフィルタメディア。
【請求項３】
前記微細繊維が少なくとも０．０１ミクロンで、最大で０．５ミクロンの平均直径を有する、請求項１または２に記載のフィルタメディア。
【請求項４】
前記深層負荷フィルタ層が、高効率ガラス含有フィルタ層、メルトブローンフィルタ層、またはその組合せを含む、請求項１から３のいずれか一項に記載のフィルタメディア。
【請求項５】
前記支持層が１０００ミリグラム以上のガーレー剛性を有する、請求項１から４のいずれか一項に記載のフィルタメディア。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
ピペット操作システム用サンプリングコーンを支持するケース（１）であって、
積載方向（２）に沿って他の同じケースに積載されるように構成されており、
前記サンプリングコーンを収容するポート（１２）が設けられた支持部（１０）と、
前記支持部と一体であり、前記積載方向（２）を含む中央仮想平面（Ｐ）が通って延びるように対向している第一側面（１４ａ）および第二側面（１４ｂ）と、
を備えており、
前記第一側面（１４ａ）と前記第二側面（１４ｂ）の各々は、前記中央仮想平面（Ｐ）の両側にほぼ対称に配置された結合雌部材（１８）と結合雄部材（２０）を備えており、
前記第一側面（１４ａ）の前記結合雌部材（１８）と前記第二側面（１４ｂ）の前記結合雌部材（１８）は、ともに前記中央仮想平面（Ｐ）の一方の側に配置されており、
前記第一側面（１４ａ）の前記結合雄部材（２０）と前記第二側面（１４ｂ）の前記結合雄部材（２０）は、ともに前記中央仮想平面（Ｐ）の他方の側に配置されており、
二つの同一の前記ケース（１）が前記積載方向（２）に沿って積載されるとき、
上側の前記ケース（１）の前記結合雄部材（２０）と下側の前記ケース（１）の前記結合雄部材（２０）が前記中央仮想平面（Ｐ）に対して同じ側にあれば、当該上側の前記ケース（１）は、当該下側の前記ケース（１）に対して係止されることなく載置される位置をとり、
上側の前記ケース（１）の前記結合雄部材（２０）と下側の前記ケース（１）の前記結合雄部材（２０）が前記中央仮想平面（Ｐ）の両側にあれば、当該上側の前記ケース（１）の二つの当該結合雄部材（２０）がそれぞれ当該下側の前記ケース（１）の前記結合雌部材（１８）と協働することにより、当該上側の前記ケース（１）が当該下側の前記ケース（１）に対して係止される位置をとる、
ケース。
【請求項２】
前記結合雄部材（２０）は、前記積載方向（２）とほぼ直交する軸（２３）を有する回動ジョイント（２２）を介して対応する側面に回動可能に設けられたタブを備えており、
前記タブは、前記回動ジョイント（２２）の一方の側に位置する把持部（３０）と、ノッチ（３４）を先端に有する係止部（３２）を備えている、
請求項１に記載のケース。
【請求項３】
前記回動ジョイント（２２）は、弾性ねじれ変形が可能な二つのビード材（２６）からなり、当該二つのビード材（２６）は、前記回動ジョイント（２２）の前記軸（２３）に沿って並んでいる、
請求項２に記載のケース。
【請求項４】
前記把持部（３０）は、対応する前記側面（１４ａ、１４ｂ）よりも上方に突出しており、前記ノッチ（３４）は、当該側面のほぼ下端に配置されている、
請求項２に記載のケース。
【請求項５】
前記結合雌部材（１８）は、その上部に斜面（１９）を有しており、当該斜面（１９）は、上側の前記ケースが前記積載方向（２）に沿って下側の前記ケースに向かって相対移動する間、前記ノッチ（３４）が当該斜面（１９）に沿って動くことによって、前記回動ジョイント（２２）を中心として対応する前記結合雄部材（２０）を回動させることを可能にし、
前記ノッチ（３４）が前記斜面（１９）を離れると、当該ノッチ（３４）が自動的に前記結合雌部材（１８）に挿入される、
請求項２に記載のケース。
【請求項６】
前記結合雌部材（１８）への前記ノッチ（３４）の自動的挿入は、前記結合雄部材（２０）が回動することによりなされ、当該回動は、当該ノッチ（３４）が前記斜面（１９）を移動している間に前記回動ジョイント（２２）へ蓄積されたエネルギーが解放されることによりなされる、
請求項５に記載のケース。
【請求項７】
前記結合雌部材（１８）は、対応する側面のほぼ上端かつ前記支持部（１０）との合流点の近傍に配置されている、
請求項１に記載のケース。
【請求項８】
前記支持部は、前記サンプリングコーンを収容するための前記ポート（１２）を９６個有している、
請求項１に記載のケース。
【請求項９】
請求項１に記載のケース（１）を複数備えているアセンブリ（１００）であって、
当該複数のケース（１）が前記積載方向（２）に沿って載置されているか、係止されている、
アセンブリ。
【請求項１０】
前記複数のケース（１）のスタックの底部に配置された中空ベース（４）を備えており、当該中空ベース（４）は、当該スタックの最も下にある前記ケース（１）と結合するための雌部材（１８’）を備えている、
請求項９に記載のアセンブリ。